(57)【要約】【課題】度合いの調整を容易にする。【解決手段】制御装置１は、パネルライト７０の光量やスピーカ８０からの放音の増減、或いはタッチパネル部４０に表示された画像の拡大・縮小といった調整、即ち、度合いの段階的な調整を、タッチパネル部４０に描かれた描画により可能にしている。よって、制御装置１では、度合いの段階的な調整を行う場合、ユーザは、度合いの調整が可能な設定画面をタッチパネル部４０に表示し、表示された設定画面に従って度合いを調整する等を行う必要がない。【選択図】図１
2013182433.tif 000002
【特許請求の範囲】
【請求項１】
描画を示す描画情報と度合いの調整を実現する処理の内容とを対応付けて記憶する描画記憶部と、
タッチパネルに描かれた描画の示す描画情報と一致する描画情報を前記描画記憶部から検索する描画検索部と、
前記描かれた描画の示す描画情報と一致する描画情報が前記描画検索部により検索された場合に、前記検索された描画情報に対応付けられている前記処理を実行する処理実行部と、
を備える制御装置。
【請求項２】
前記描画記憶部に記憶される描画情報の示す描画は、幾何学模様である、
請求項１に記載の制御装置。
【請求項３】
現状の調整状態を記憶する調整記憶部を備え、
前記処理実行部は、前記調整記憶部に記憶された前記現状の調整状態を初期値として、前記度合いの調整を実現する処理を実行する、
請求項２に記載の制御装置。
【請求項４】
前記描画記憶部は、前記描画の座標および軌跡を含む描画情報を記憶し、
前記描画検索部は、前記描画記憶部に記憶された描画情報に含まれる座標と前記タッチパネルに描かれた描画の座標とのずれ量、および、前記描画記憶部に記憶された描画情報に含まれる軌跡と前記タッチパネルに描かれた軌跡から、前記タッチパネルに描かれた描画の示す描画情報と一致する描画情報を前記描画記憶部から検索する、
請求項１から３のいずれか一項に記載の制御装置。
【請求項５】
ディスプレイの表示面を照らすパネルライトと、
音を放音するスピーカと、
を備え、
前記描画記憶部は、少なくとも、前記度合いの調整を実現する処理として、前記パネルライトの光量を増減する処理または前記スピーカから放音される音量を増減する処理を記憶する、
請求項１から４のいずれか一項に記載の制御装置。
【請求項６】
制御装置の制御方法であって、
前記制御装置が、描画を示す描画情報と度合いの調整を実現する処理の内容とを対応付けて記憶する描画記憶部から、タッチパネルに描かれた描画の示す描画情報と一致する描画情報を検索する描画検索ステップと、
前記制御装置が、前記描かれた描画の示す描画情報と一致する描画情報を前記描画検索ステップによって検索した場合に、前記検索した描画情報に対応付けられている前記処理を実行する処理実行ステップと、
を備える制御方法。
【請求項７】
制御装置を制御するコンピュータに、
描画を示す描画情報と度合いの調整を実現する処理の内容とを対応付けて記憶する描画記憶部から、タッチパネルに描かれた描画の示す描画情報と一致する描画情報を検索する描画検索機能、
前記描かれた描画の示す描画情報と一致する描画情報を前記描画検索機能によって検索した場合に、前記検索した描画情報に対応付けられている前記処理を実行する処理実行機能、
を実現させるプログラム。
【発明の詳細な説明】
【技術分野】
【０００１】
本発明は、制御装置、制御方法およびプログラムに関する。
【背景技術】
【０００２】
携帯電話やスマートフォン等の制御装置に設けられた装備や、制御装置にインストールされたアプリケーションを、ボタンを押下する等の操作を行うことなく扱うことができるものとして、特許文献１に記載の携帯用端末器や特許文献２に記載の携帯端末装置がある。
【０００３】
特許文献１に記載の携帯用端末器は、携帯用端末器が動かされたことを振動センサで感知した場合、バックライトがオフであればバックライトをオンし、バックライトがオンであれば画面表示データを回転させて表示部に表示する。
【０００４】
特許文献２に記載の携帯端末装置は、タッチパネルに描画を描くと、描かれた描画に対応するアプリケーションの起動、例えば、インターネットブラウザや音楽プレーヤ等のアプリケーションを起動する。
【０００５】
このように、特許文献１に記載の携帯用端末器や特許文献２に記載の携帯端末装置では、ユーザは、ボタンを押下する等の操作をすることなく、装備やアプリケーションを扱うことができる。
【先行技術文献】
【特許文献】
【０００６】
【特許文献１】特開２００５−１９８２３５号公報
【特許文献２】特開２００９−３７３６７号公報
【発明の概要】
【発明が解決しようとする課題】
【０００７】
しかし、上述の特許文献１に記載の携帯用端末器や特許文献２に記載の携帯端末装置では、バックライトがオンとなった後やアプリケーションの起動後、例えば、バックライトの光量の調整や音楽プレーヤで再生される音楽の音量の調整を行う場合、従来と同様、それらの調整が可能な設定画面を表示し、設定画面に従って度合いを調整する等が必要である。よって、度合いの調整を行う場合、その調整が煩雑であるという問題点があった。
【０００８】
本発明は、実情に鑑みてなされたものであり、度合いの調整が容易な制御装置、制御方法およびプログラムを提供することを目的とする。
【課題を解決するための手段】
【０００９】
上記目的を達成するため、本発明の第１の観点に係る制御装置は、
描画を示す描画情報と度合いの調整を実現する処理の内容とを対応付けて記憶する描画記憶部と、
タッチパネルに描かれた描画の示す描画情報と一致する描画情報を前記描画記憶部から検索する描画検索部と、
前記描かれた描画の示す描画情報と一致する描画情報が前記描画検索部により検索された場合に、前記検索された描画情報に対応付けられている前記処理を実行する処理実行部と、
を備える。
【００１０】
また、上記目的を達成するため、本発明の第２の観点に係る制御装置の制御方法は、
前記制御装置が、描画を示す描画情報と度合いの調整を実現する処理の内容とを対応付けて記憶する描画記憶部から、タッチパネルに描かれた描画の示す描画情報と一致する描画情報を検索する描画検索ステップと、
前記制御装置が、前記描かれた描画の示す描画情報と一致する描画情報を前記描画検索ステップによって検索した場合に、前記検索した描画情報に対応付けられている前記処理を実行する処理実行ステップと、
を備える。
【００１１】
また、上記目的を達成するため、本発明の第３の観点に係るプログラムは、
制御装置を制御するコンピュータに、
描画を示す描画情報と度合いの調整を実現する処理の内容とを対応付けて記憶する描画記憶部から、タッチパネルに描かれた描画の示す描画情報と一致する描画情報を検索する描画検索機能、
前記描かれた描画の示す描画情報と一致する描画情報を前記描画検索機能によって検索した場合に、前記検索した描画情報に対応付けられている前記処理を実行する処理実行機能、
を実現させる。
【発明の効果】
【００１２】
本発明によれば、度合いの調整が容易である。
【図面の簡単な説明】
【００１３】
【図１】本発明の実施の形態に係る制御装置のブロック図である。
【図２】対応情報記憶部に記憶される対応情報を模式的に示した図である。
【図３】制御部で実行される記憶処理のフローチャートである。
【図４】制御部で実行される実行処理のフローチャートである。
【発明を実施するための形態】
【００１４】
以下、本発明の実施の形態に係る制御装置１を、図１〜４を参照して説明する。
【００１５】
制御装置１は、例えば、携帯電話やスマートフォン、或いはタブレット端末（薄い板状のコンピュータ）等である。
【００１６】
制御装置１は、パネルライト７０の光量やスピーカ８０からの放音の増減、或いはタッチパネル部４０に表示された画像の拡大・縮小といった調整、即ち、度合いの段階的な調整を、タッチパネル部４０に描かれた描画により可能にしている。よって、制御装置１では、度合いの段階的な調整を行う場合、ユーザは、度合いの調整が可能な設定画面をタッチパネル部４０に表示し、表示された設定画面に従って度合いを調整する等を行う必要がない。従って、度合いの段階的な調整が容易である。
【００１７】
この制御装置１は、制御部１０と、記憶部２０と、入力部３０と、タッチパネル部４０と、通信部５０と、アンテナ６０と、パネルライト７０と、スピーカ８０と、を備えている。
【００１８】
制御部１０は、制御装置１の制御を行う。制御部１０は、図示しないＣＰＵ（Central Processing Unit）、ＲＯＭ（Read only Memory）およびＲＡＭ（Random Access Memory）を備えている。
【００１９】
ＣＰＵは、ＲＯＭに格納されたプログラム（例えば、後述する図３，４に示す処理）を実行する。
【００２０】
また、制御部１０は、ＣＰＵがＲＯＭに格納されたプログラムを実行することにより、描画取得部１１と、処理設定部１２と、描画入力部１３と、描画検索部１４と、処理実行部１５と、の機能を実現する。
【００２１】
描画取得部１１は、度合いの段階的な調整を実現する処理の実行の準備として、処理の実行に必要な情報を描画記憶部２２に記憶する。
【００２２】
具体的には、描画取得部１１は、度合いの段階的な調整を実現する処理の内容に対応付けて描画記憶部２２に記憶させる描画が、タッチパネル部４０にユーザにより描かれた場合、描かれた描画を構成する座標群および軌跡を取得し、座標群を示す座標群情報および軌跡を示す軌跡情報を生成する。そして、描画取得部１１は、生成した座標群情報および軌跡情報を、度合いの段階的な調整を実現する処理の内容に対応付けて、描画記憶部２２に記憶する。なお、タッチパネル部４０に描かれる描画は、例えば、幾何学模様である。
【００２３】
処理設定部１２は、描画取得部１１により生成され描画記憶部２２に記憶された座標群情報および軌跡情報に対応付ける、度合いの段階的な調整を実現する処理の内容の設定を行う。具体的には、処理設定部１２は、度合いの段階的な調整を実現する処理の内容が入力部３０のユーザによる操作により入力されると、その処理の内容を、座標群情報および軌跡情報に対応付けて、描画記憶部２２に記憶する。
【００２４】
描画記憶部２２に記憶される情報は、図２に示す通りである。具体的には、描画記憶部２２に記憶される情報は、描画Ｎｏと、座標群情報と、軌跡情報と、度合いの段階的な調整を実現する処理の内容とが対応付けられた情報である。
【００２５】
描画Ｎｏは、座標群情報、軌跡情報および処理の内容が描画記憶部２２に記憶された順番を示している。描画Ｎｏは、処理設定部１２により付与される。
【００２６】
座標群情報は、タッチパネル部４０に描かれた描画を構成する複数の座標の群からなる情報である。なお、図２では、発明の理解を容易にするために、座標群情報を、座標の群を繋いだ場合に形成される模式図形として記載している。
【００２７】
軌跡情報は、タッチパネル部４０に描かれた描画を構成する座標の推移（軌跡）を示す情報である。この軌跡情報は、タッチパネル部４０に描かれた描画が、描画Ｎｏ．１〜４のように、一筆書きされたものである場合には描画記憶部２２に記憶されるが、描画Ｎｏ．５，６のように、一筆書きされたものではないもの（筆継ぎがあるもの）である場合には描画記憶部２２に記憶されない。なお、図２では、発明の理解を容易にするために、軌跡情報を、右回り、左回りといった概念的な表現で記載している。
【００２８】
処理の内容は、度合いの段階的な調整を実現する処理の具体的な内容を示している。この処理は、パネルライト７０の光量やスピーカ８０からの放音の増減、或いはタッチパネル部４０に表示された画像の拡大・縮小といった調整を実行する処理である。
【００２９】
描画入力部１３は、度合いの段階的な調整を実現する処理の実行の準備が完了した後、度合いの段階的な調整をユーザが行う際に、タッチパネル部４０にユーザにより描画が描かれると、描かれた描画を構成する座標群および軌跡を取得し、座標群を示す座標群情報および軌跡を示す軌跡情報を生成する。描画入力部１３は、生成した座標群情報および軌跡情報を、ＲＡＭ（不図示）に記憶する。
【００３０】
描画検索部１４は、描画入力部１３により生成された座標群情報および軌跡情報（ＲＡＭに記憶された座標群情報および軌跡情報）と、描画記憶部２２に記憶された座標群情報および軌跡情報とを比較し、タッチパネル部４０にユーザにより描かれた描画の示す座標群情報および軌跡情報と一致する座標群情報および軌跡情報を、描画記憶部２２から検索する。
【００３１】
具体的には、描画検索部１４は、描画入力部１３により生成された座標群情報（ＲＡＭに記憶された座標群情報）の示す座標群と、描画記憶部２２に記憶された座標群情報の示す座標群とのずれの量を求める。そして、描画検索部１４は、任意の複数の座標におけるずれの量が、全て、例えば３％以内であるかを判定する。そして、描画検索部１４は、ずれの量が、例えば３％を超えていると、両描画の座標群が一致しないと判定する。一方、描画検索部１４は、ずれの量が、例えば３％以内であれば、両描画の座標群が一致すると判定する。
【００３２】
描画検索部１４は、座標群が一致すると判定すると、描画入力部１３により生成された軌跡情報（ＲＡＭに記憶された軌跡情報）の示す軌跡と、描画記憶部２２に記憶された軌跡情報の示す軌跡とを比較する。そして、描画検索部１４は、両描画における軌跡が一致した場合に、タッチパネル部４０にユーザにより描かれた描画の示す座標群情報および軌跡情報と一致する座標群情報および軌跡情報が描画記憶部２２に記憶されていると判定し、一致する座標群情報および軌跡情報を描画記憶部２２から検索する。
【００３３】
処理実行部１５は、タッチパネル部４０にユーザにより描かれた描画の示す座標群情報および軌跡情報と一致する座標群情報および軌跡情報が描画検索部１４により検索された場合、検索された座標群情報および軌跡情報に対応付けられて描画記憶部２２に記憶されている、度合いの段階的な調整を実現する処理の内容を取得し、その処理を実行する。
【００３４】
具体的には、図２に示す描画Ｎｏ「１」の座標群情報および軌跡情報が描画検索部１４により検索された場合、処理実行部１５は、パネルライト７０の光量を増加する。また、図２に示す描画Ｎｏ「４」の座標群情報および軌跡情報が描画検索部１４により検索された場合、処理実行部１５は、スピーカ８０から放音される音量を減少する。
【００３５】
加えて、図２に示す描画Ｎｏ「５」の座標群情報および軌跡情報が描画検索部１４により検索された場合、処理実行部１５は、タッチパネル部４０に表示されている画像を拡大する。
【００３６】
一方で、座標群情報および軌跡情報が描画検索部１４により検索されなかった場合、タッチパネル部４０にユーザにより描かれた描画の示す座標群情報および軌跡情報と一致する座標群情報および軌跡情報が描画記憶部２２に記憶されていないことから、処理実行部１５は、度合いの段階的な調整を実現する処理を実行しない。
【００３７】
図１に示す記憶部２０は、例えば、フラッシュメモリであり、制御部１０の制御で使用される情報等を記憶する。記憶部２０は、ＯＳ部２１と、描画記憶部２２と、調整記憶部２３と、を備えている。
【００３８】
ＯＳ部２１は、制御装置１の全体を管理するオペレーションシステム（ＯＳ）を記憶する。なお、制御装置１のＯＳでは、タッチパネル部４０にユーザによる何らかの操作（接触される或いは圧力が加えられる等の何らかの操作）があった場合に、パネルライト７０を消灯状態から点灯状態へ移行させることが規定されている。
【００３９】
描画記憶部２２は、図２に示す通り、描画Ｎｏと、座標群情報と、軌跡情報と、度合いの段階的な調整を実現する処理の内容とを対応付けて記憶する。描画記憶部２２に記憶される座標群情報および軌跡情報は描画取得部１１により生成された情報であり、描画記憶部２２に記憶される描画Ｎｏおよび処理の内容は処理設定部１２により設定された情報である。
【００４０】
調整記憶部２３は、制御装置１の現状の調整状態を記憶する。本実施の形態では、調整記憶部２３に、パネルライト７０の現状の調整状態（明るさの度合い）およびスピーカ８０の現状の調整状態（音量の度合い）が記憶される。この調整記憶部２３には、明るさの度合いおよび音量の度合いの他に、例えば、タッチパネル部４０に表示される画像の拡大・縮小の度合い等の調整状態を記憶してもよい。
【００４１】
入力部３０は、例えば、キーボードである。入力部３０を操作することにより、ユーザは、各種情報の入力や各種処理の指示を、制御装置１に対して行うことができる。
【００４２】
タッチパネル部４０は、静電容量式のタッチパネルと液晶ディスプレイとを一体介したものである。タッチパネル部４０は、接触される或いは圧力が加えられる等の操作がユーザにより行われると、操作された位置を特定した信号を、バスラインＢＬへ出力する。この位置を特定した信号から、描画取得部１１および描画入力部１３は、描画を構成する座標群および軌跡を取得する。
【００４３】
通信部５０は、例えば、公衆通信網との無線通信を行う。
【００４４】
アンテナ６０は、通信部５０から出力される信号を電波に変換して放射すると共に、電波を受信して信号に変換し通信部５０へ出力する。
【００４５】
パネルライト７０は、タッチパネル部４０の液晶ディスプレイの表示面を、液晶ディスプレイの背面側から照らす。背面とは、液晶ディスプレイの視認面と反対の面である。
【００４６】
スピーカ８０は、操作音や音楽等の音を放音する。
【００４７】
バスラインＢＬは、制御部１０と、記憶部２０と、入力部３０と、タッチパネル部４０と、通信部５０と、パネルライト７０と、スピーカ８０と、を相互に接続する。
【００４８】
上述した制御装置１の電源がオンされている状態で、度合いの段階的な調整を実現する処理の実行の準備を行う指示が、入力部３０のユーザによる操作により行われると、制御部１０は、図３に示す記憶処理を開始する。
【００４９】
記憶処理では、まず、制御部１０（描画取得部１１）は、描画の受付を行う画面（受付画面）をタッチパネル部４０に表示し、タッチパネル部４０の操作により描かれる描画の受付を行う（ステップＳ１）。
【００５０】
次に、制御部１０（描画取得部１１）は、描画の受付が完了したか否かを判定する（ステップＳ２）。制御部１０（描画取得部１１）は、例えば、タッチパネル部４０の操作が最後に行われてから予め定められた期間（例えば、１秒間）が経過した場合に、描画の受付が完了したと判定する。
【００５１】
制御部１０（描画取得部１１）は、タッチパネル部４０の操作が継続しており、描画の受付が完了していないと判定すると（ステップＳ２：Ｎｏ）、ステップＳ１へ戻る。
【００５２】
一方で、制御部１０（描画取得部１１）は、描画の受付が完了したと判定すると（ステップＳ２：Ｙｅｓ）、ステップＳ３を実行する。即ち、制御部１０（描画取得部１１）は、タッチパネル部４０により操作された位置が特定された信号をバスラインＢＬから取得し、この信号から、描かれた描画を構成する座標群および軌跡を取得する。そして、制御部１０（描画取得部１１）は、座標群を示す座標群情報および軌跡を示す軌跡情報を生成し、生成した座標群情報および軌跡情報を、描画記憶部２２に記憶する（ステップＳ３）。
【００５３】
次に、制御部１０（処理設定部１２）は、ステップＳ３で描画記憶部２２に記憶された座標群情報および軌跡情報に対応付ける処理の内容の受付画面を、タッチパネル部４０に表示し、入力部３０の操作によりユーザによって入力される処理の内容の受付を行う（ステップＳ４）。ここで受け付けられる処理の内容は、度合いの段階的な調整を実現する処理の内容である。
【００５４】
ステップＳ４の実行後、制御部１０（処理設定部１２）は、処理の内容の受付が完了したか否かを判定する（ステップＳ５）。制御部１０（処理設定部１２）は、例えば、処理の内容の入力完了を示す操作が、入力部３０のユーザによる操作により行われた場合に、処理の内容の受付が完了したと判定する。
【００５５】
制御部１０（処理設定部１２）は、処理の内容の入力が継続しており、処理の内容の受付が完了していないと判定すると（ステップＳ５：Ｎｏ）、ステップＳ４へ戻る。
【００５６】
一方で、制御部１０（処理設定部１２）は、処理の内容の受付が完了したと判定すると（ステップＳ５：Ｙｅｓ）、受け付けた処理の内容を、ステップＳ３で描画記憶部２２に記憶された座標群情報および軌跡情報に対応付けて記憶する（ステップＳ６）。なお、このとき、制御部１０（処理設定部１２）は、描画Ｎｏの付与も行う。
【００５７】
その後、制御部１０（ＣＰＵ）は、記憶処理を終了する。
【００５８】
この記憶処理により、描画記憶部２２には、図２に示す通り、描画Ｎｏと、座標群情報と、軌跡情報と、度合いの段階的な調整を実現する処理の内容とが対応付けられた情報が記憶される。
【００５９】
上述した記憶処理の実行後、度合いの段階的な調整の実行が、入力部３０によるユーザの操作により指示されると（例えば、タッチパネル部４０への接触、或いはタッチパネル部４０に圧力が加えられる等の操作により指示されると）、制御部１０は、図４に示す実行処理を開始する。
【００６０】
実行処理では、まず、制御部１０（ＣＰＵ）は、調整記憶部２３から現状の調整状態を読み出し、パネルライト７０の光量およびスピーカ８０からの放音量を、読み出した調整状態に設定する（ステップＳ１１）。つまり、調整記憶部２３から読み出した現状の調整状態を初期値として、この実行処理を開始する。
【００６１】
そして、制御部１０（ＣＰＵ）は、パネルライト７０を消灯状態から点灯状態へ移行させる（ステップＳ１２）。
【００６２】
その後、制御部１０（描画入力部１３）は、タッチパネル部４０の操作により描かれる描画の入力が完了したか否かを判定する（ステップＳ１３）。制御部１０（描画入力部１３）は、例えば、タッチパネル部４０の操作が最後に行われてから予め定められた期間（例えば、０．２秒間）、タッチパネル部４０の操作が行われない場合、描画の受付が完了したと判定する。
【００６３】
制御部１０（描画入力部１３）は、タッチパネル部４０の操作が継続しており、描画の入力が完了していないと判定すると（ステップＳ１３：Ｎｏ）、ステップＳ１３を繰り返し実行する。
【００６４】
一方で、制御部１０（描画入力部１３）は、描画の受付が完了したと判定すると（ステップＳ１３：Ｙｅｓ）、ステップＳ１４を実行する。即ち、制御部１０（描画入力部１３）は、タッチパネル部４０により操作された位置が特定された信号をバスラインＢＬから取得し、この信号から、描かれた描画を構成する座標群および軌跡を取得する。そして、制御部１０（描画入力部１３）は、座標群を示す座標群情報および軌跡を示す軌跡情報を生成し、生成した座標群情報および軌跡情報をＲＡＭ（不図示）に記憶する（ステップＳ１４）。
【００６５】
その後、制御部１０（描画検索部１４）は、制御部１０（描画入力部１３）により生成された座標群情報および軌跡情報（ＲＡＭに記憶された座標群情報および軌跡情報）と、描画記憶部２２に記憶された座標群情報および軌跡情報とを比較し、タッチパネル部４０にユーザにより描かれた描画の示す座標群情報および軌跡情報と一致する座標群情報および軌跡情報を、描画記憶部２２から検索する（ステップＳ１５）。
【００６６】
具体的には、制御部１０（描画検索部１４）は、制御部１０（描画入力部１３）により生成された座標群情報（ＲＡＭに記憶された座標群情報）の示す座標群と、描画記憶部２２に記憶された座標群情報の示す座標群とのずれの量を求める。そして、制御部１０（描画検索部１４）は、任意の複数の座標におけるずれの量が、全て、例えば３％以内であるかを判定する。そして、制御部１０（描画検索部１４）は、ずれの量が、例えば３％を超えていると、両描画の座標群が一致しないと判定する（ステップＳ１５：Ｎｏ）。ステップＳ１５でＮｏと判定すると、制御部１０（描画検索部１４）は、ステップＳ１６をスキップして、ステップＳ１７へ移行する。
【００６７】
一方、制御部１０（描画検索部１４）は、ずれの量が、例えば３％以内であれば、両描画の座標群が一致すると判定する。すると、制御部１０（描画検索部１４）は、制御部１０（描画入力部１３）により生成された軌跡情報（ＲＡＭに記憶された軌跡情報）の示す軌跡と、描画記憶部２２に記憶された軌跡情報の示す軌跡とを比較する。そして、制御部１０（描画検索部１４）は、両描画における軌跡が一致した場合に、タッチパネル部４０に描かれた描画の示す座標群情報および軌跡情報と一致する座標群情報および軌跡情報が描画記憶部２２に記憶されていると判定し、一致する座標群情報および軌跡情報を描画記憶部２２から検索する（ステップＳ１５：Ｙｅｓ）。ステップＳ１５でＹｅｓと判定すると、制御部１０（描画検索部１４）は、ステップＳ１６へ移行する。
【００６８】
ステップＳ１６では、制御部１０（処理実行部１５）は、描画検索部１４により検索された座標群情報および軌跡情報に対応付けられて描画記憶部２２に記憶されている、度合いの段階的な調整を実現する処理の内容を取得し、その処理を実行する（ステップＳ１６）。
【００６９】
具体的には、図２に示す描画Ｎｏ「２」の座標群情報および軌跡情報が描画検索部１４により検索された場合、制御部１０（処理実行部１５）は、パネルライト７０の光量を減少する。また、図２に示す描画Ｎｏ「３」の座標群情報および軌跡情報が描画検索部１４により検索された場合、制御部１０（処理実行部１５）は、スピーカ８０から放音される音量を増加する。
【００７０】
加えて、図２に示す描画Ｎｏ「６」の座標群情報および軌跡情報が描画検索部１４により検索された場合、制御部１０（処理実行部１５）は、タッチパネル部４０に表示される画像を縮小する。
【００７１】
ステップＳ１６が完了すると、制御部１０（ＣＰＵ）は、ステップＳ１３で描画の入力が完了したと判定してから所定期間（例えば、３秒間）が経過したか否かを判定する（ステップＳ１７）。このステップＳ１７は、ステップＳ１５でＮｏと判定された場合にも実行される。
【００７２】
制御部１０（ＣＰＵ）は、所定期間が経過していないと判定すると（ステップＳ１７：Ｎｏ）、タッチパネル部４０の操作により描かれる描画の入力が新たにあったか否かを判定する（ステップＳ２０）。
【００７３】
制御部１０（ＣＰＵ）は、描画の入力が新たにあったと判定すると（ステップＳ２０：Ｙｅｓ）、ステップＳ１３へ移行する。
【００７４】
一方、制御部１０（ＣＰＵ）は、描画の新たな入力はないと判定すると（ステップＳ２０：Ｎｏ）、ステップＳ１７へ戻る。
【００７５】
ステップＳ１７で、制御部１０（ＣＰＵ）は、所定期間が経過したと判定すると（ステップＳ１７：Ｙｅｓ）、現状の調整状態（パネルライト７０の光量およびスピーカ８０からの放音量）を、調整記憶部２３に記憶する（ステップＳ１８）。
【００７６】
その後、制御部１０（ＣＰＵ）は、パネルライト７０を消灯し（ステップＳ１９）、この実行処理を終了する。
【００７７】
上述した通り、本発明の実施の形態に係る制御装置１は、パネルライト７０の光量やスピーカ８０からの放音の増減、或いはタッチパネル部４０に表示された画像の拡大・縮小といった調整、即ち、度合いの段階的な調整を、タッチパネル部４０に描かれた描画により可能にしている。よって、制御装置１では、度合いの段階的な調整を行う場合、ユーザは、度合いの調整が可能な設定画面をタッチパネル部４０に表示し、表示された設定画面に従って度合いを調整する等を行う必要がない。従って、度合いの段階的な調整が容易である。
【００７８】
また、本発明の実施の形態に係る制御装置１は、実行処理のステップＳ１３で描画の入力が完了したと判定した後、所定期間が経過した場合には、パネルライト７０を消灯する。よって、制御装置１では、所定期間が経過した場合にパネルライト７０を消灯しない装置と比較して、消費する電力を削減できる。
【００７９】
以上、本発明の実施の形態を説明したが、この発明は上記の実施の形態に限定されず、種々の変形および応用が可能である。
【００８０】
例えば、上述した実施の形態に係る制御装置１では、描画検索部１４は、描画入力部１３により生成された座標群情報（ＲＡＭに記憶された座標群情報）の示す座標群と、描画記憶部２２に記憶された座標群情報の示す座標群とのずれの量が、例えば３％以内であれば、両描画の座標群が一致すると判定したが、これに限られるものではない。即ち、描画検索部１４は、両描画のずれの量が１％以内である場合に、両描画の座標群が一致すると判定してもよい。これとは逆に、描画検索部１４は、両描画のずれの量が１０％以内である場合に、両描画の座標群が一致すると判定してもよい。
【００８１】
また、両描画の座標群が一致するか否かの判定に描画検索部１４が使用するずれの量の程度を、ユーザにより設定可能に構成してもよい。
【００８２】
この構成の場合、両描画の座標群が一致すると描画検索部１４に判定させる両描画のずれの量を、例えば１％以内に設定することで、タッチパネル部４０の意図しない操作や他のユーザによる操作を、高い精度で無効化することができる。
【００８３】
また、この構成の場合、両描画の座標群が一致すると描画検索部１４に判定させる両描画のずれの量を、例えば１０％以内に設定することで、制御装置１を携帯している等で、タッチパネル部４０に描画を大まかにしか描けないときでも、度合いの段階的な調整を行うことができる。
【００８４】
なお、上記実施の形態において、制御装置１を制御するプログラムは、フレキシブルディスク、ＣＤ−ＲＯＭ（Compact Disc Read−Only Memory）、ＤＶＤ（Digital Versatile Disc）、ＭＯ（Magneto−Optical Disc）等のコンピュータが読み取り可能な記録媒体に格納して配布し、そのプログラムを、コンピュータ等にインストールすることにより、図３，４に示す動作を実行する制御システムを構成することとしてもよい。
【００８５】
また、上述のプログラムをインターネット等の通信ネットワーク上の所定のサーバ装置が有するディスク装置等に格納しておき、例えば、搬送波に重畳させて、ダウンロード等するようにしてもよい。
【００８６】
また、上述の図３，４に示す処理を、各ＯＳ（Operating System）が分担して実現する場合、又は、ＯＳとアプリケーションとの協働により実現する場合等には、ＯＳ以外の部分のみを媒体に格納して配布してもよく、また、ダウンロード等してもよい。
【００８７】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲は、上述した実施の形態ではなく、請求の範囲によって示される。そして、請求の範囲内およびそれと同等の発明の意義の範囲内で施される様々な変形が、本発明の範囲内とみなされる。
【００８８】
上記の実施の形態の一部又は全部は、以下の付記のようにも記載されうるが、以下には限られない。
【００８９】
（付記１）
描画を示す描画情報と度合いの調整を実現する処理の内容とを対応付けて記憶する描画記憶部と、
タッチパネルに描かれた描画の示す描画情報と一致する描画情報を前記描画記憶部から検索する描画検索部と、
前記描かれた描画の示す描画情報と一致する描画情報が前記描画検索部により検索された場合に、前記検索された描画情報に対応付けられている前記処理を実行する処理実行部と、
を備える制御装置。
【００９０】
（付記２）
前記描画記憶部に記憶される描画情報の示す描画は、幾何学模様である、
付記１に記載の制御装置。
【００９１】
（付記３）
現状の調整状態を記憶する調整記憶部を備え、
前記処理実行部は、前記調整記憶部に記憶された前記現状の調整状態を初期値として、前記度合いの調整を実現する処理を実行する、
付記２に記載の制御装置。
【００９２】
（付記４）
前記描画記憶部は、前記描画の座標および軌跡を含む描画情報を記憶し、
前記描画検索部は、前記描画記憶部に記憶された描画情報に含まれる座標と前記タッチパネルに描かれた描画の座標とのずれ量、および、前記描画記憶部に記憶された描画情報に含まれる軌跡と前記タッチパネルに描かれた軌跡から、前記タッチパネルに描かれた描画の示す描画情報と一致する描画情報を前記描画記憶部から検索する、
付記１から３のいずれかに記載の制御装置。
【００９３】
（付記５）
ディスプレイの表示面を照らすパネルライトと、
音を放音するスピーカと、
を備え、
前記描画記憶部は、少なくとも、前記度合いの調整を実現する処理として、前記パネルライトの光量を増減する処理または前記スピーカから放音される音量を増減する処理を記憶する、
付記１から４のいずれかに記載の制御装置。
【００９４】
（付記６）
制御装置の制御方法であって、
前記制御装置が、描画を示す描画情報と度合いの調整を実現する処理の内容とを対応付けて記憶する描画記憶部から、タッチパネルに描かれた描画の示す描画情報と一致する描画情報を検索する描画検索ステップと、
前記制御装置が、前記描かれた描画の示す描画情報と一致する描画情報を前記描画検索ステップによって検索した場合に、前記検索した描画情報に対応付けられている前記処理を実行する処理実行ステップと、
を備える制御方法。
【００９５】
（付記７）
制御装置を制御するコンピュータに、
描画を示す描画情報と度合いの調整を実現する処理の内容とを対応付けて記憶する描画記憶部から、タッチパネルに描かれた描画の示す描画情報と一致する描画情報を検索する描画検索機能、
前記描かれた描画の示す描画情報と一致する描画情報を前記描画検索機能によって検索した場合に、前記検索した描画情報に対応付けられている前記処理を実行する処理実行機能、
を実現させるプログラム。
【符号の説明】
【００９６】
１          制御装置
１０        制御部
１１        描画取得部
１２        処理設定部
１３        描画入力部
１４        描画検索部
１５        処理実行部
２０        記憶部
２１        ＯＳ部
２２        描画記憶部
２３        調整記憶部
３０        入力部
４０        タッチパネル部
５０        通信部
６０        アンテナ
７０        パネルライト
８０        スピーカ
【図１】
2013182433.tif 000003
【図２】
2013182433.tif 000004
【図３】
2013182433.tif 000005
【図４】
2013182433.tif 000006